(57)【要約】【課題】簡単な構成により、異なる外形寸法の飲料容器を支持すること。【解決手段】車両用カップホルダは、上部に開口１２を有し、飲料容器を収容可能な有底筒状の収容部１３を備える。また、収容部１３の側壁１３ａにおける対向する複数箇所に設けられた保持部１５Ａ，１５Ｂと、弾性部材からなり、複数の保持部１５Ａ，１５Ｂにより引っ張られた状態で保持されて収容部１３内を仕切る紐状の仕切部材２１，２２とを備える。【選択図】図４
2019188870.tif 000002
【特許請求の範囲】
【請求項１】
上部に開口を有し、飲料容器を収容可能な有底筒状の収容部を備えた車両用カップホルダであって、
前記収容部の側壁における対向する複数箇所に設けられた保持部と、
弾性部材からなり、複数の前記保持部により引っ張られた状態で保持されて前記収容部内を仕切る紐状の仕切部材と、を備える、
車両用カップホルダ。
【請求項２】
前記仕切部材は、前記収容部内にて互いに間隔をおいて平行に延在する支持部を有している、
請求項１に記載の車両用カップホルダ。
【請求項３】
前記側壁には、前記収容部の内外を連通する一対の連通孔が設けられており、
一対の前記連通孔の内周面には、前記仕切部材が係止される係止凸部が突設されており、
前記保持部は、前記係止凸部である、
請求項１または請求項２に記載の車両用カップホルダ。
【請求項４】
前記収容部の底面からの一対の前記保持部の高さが互いに異なっている、
請求項３に記載の車両用カップホルダ。
【請求項５】
上側の前記保持部を構成する前記係止凸部は、前記連通孔の下側の内周面に突設されており、
下側の前記保持部を構成する前記係止凸部は、前記連通孔の上側の内周面に突設されている、
請求項４に記載の車両用カップホルダ。
【請求項６】
前記仕切部材は輪ゴムである、
請求項１〜請求項５のいずれか一項に記載の車両用カップホルダ。
【発明の詳細な説明】
【技術分野】
【０００１】
本発明は、上部に開口を有し、飲料容器を収容可能な有底筒状の収容部を備えた車両用カップホルダに関する。
【背景技術】
【０００２】
自動車などの車両の室内には、飲料容器を収容するカップホルダが設けられている（例えば特許文献１参照）。
特許文献１に記載のカップホルダは、飲料容器の少なくとも一部を収容可能な有底円筒状の容器収容部、容器収容部の接線に沿う軸上に傾動可能に枢支され且つその遊端が飲料容器の外周面に接触し得る支持部材を備えている。また、容器収容部の内周面からの支持部材の遊端の突出量を変化させるべく支持部材を傾動駆動するための駆動手段が設けられている。駆動手段は、容器収容部を囲むとともに容器収容部の軸線に沿って移動可能であり、支持部材の枢支端側に係合する円筒状のアウタスリーブと、アウタスリーブに軸線方向に沿って形成されたラックギアと、容器収容部と一体をなす部分に枢支されてラックギアと噛合するピニオンとを備えている。
【０００３】
こうしたカップホルダによれば、ピニオンと一体のダイヤルを回すと、ピニオンが回転し、これと噛合したラックギアが上下動する。このラックギアの上下動に連動してラックギアと一体をなすアウタスリーブが上下動し、アウタスリーブに係合した支持部材が同時に傾動する。アウタスリーブの上下位置に応じて支持部材の傾動角度が変化し、この支持部材の傾動角度によって容器収容部の内周面からの支持部材の突出量が変化する。これにより、異なる外形寸法の飲料容器であっても安定的に支持することができる。
【先行技術文献】
【特許文献】
【０００４】
【特許文献１】特開２００２−１４４９４１号公報
【発明の概要】
【発明が解決しようとする課題】
【０００５】
ところで、特許文献１に記載のカップホルダは、容器収容部の内周面からの支持部材の遊端の突出量を変化させるべく支持部材を傾動駆動するための駆動手段を必要とする。そのため、カップホルダの部品点数が多くなるといった問題や、カップホルダの構成が複雑になるといった問題が生じる。
【０００６】
本発明の目的は、簡単な構成により、異なる外形寸法の飲料容器を支持することのできるカップホルダを提供することにある。
【課題を解決するための手段】
【０００７】
上記目的を達成するための車両用カップホルダは、上部に開口を有し、飲料容器を収容可能な有底筒状の収容部を備えた車両用カップホルダであって、前記収容部の側壁における対向する複数箇所に設けられた保持部と、弾性部材からなり、複数の前記保持部により引っ張られた状態で保持されて前記収容部内を仕切る紐状の仕切部材と、を備える。
【０００８】
同構成によれば、紐状の仕切部材が収容部の側壁に設けられた複数の保持部により引っ張られた状態で保持されており、同仕切部材によって収容部内が複数に仕切られている。このため、仕切部材や仕切部材同士、または収容部の側壁と仕切部材とによって仕切られた収容領域に対して飲料容器を挿入すると、当該飲料容器の外形寸法に応じて仕切部材が弾性変形する。
【０００９】
ここで、飲料容器の外周面に対して作用する仕切部材の弾性復元力によって、飲料容器が支持されることとなる。したがって、簡単な構成により、異なる外形寸法の飲料容器を支持することができる。
【発明の効果】
【００１０】
本発明によれば、簡単な構成により、異なる外形寸法の飲料容器を支持することができる。
【図面の簡単な説明】
【００１１】
【図１】車両用カップホルダの一実施形態において、カップホルダを示す斜視図。
【図２】同実施形態のカップホルダを構成するハウジングとホルダ本体とを互いに離間して示す分解斜視図。
【図３】同実施形態のホルダ本体を示す平面図。
【図４】図３の４−４線に沿った断面図。
【図５】同実施形態におけるホルダ本体の収容部を示す断面斜視図。
【図６】同実施形態における収容部に対して異なる外形寸法の飲料容器が挿入された場合における仕切部材による支持態様を示す説明図。
【図７】変更例におけるカップホルダの収容部を示す斜視図。
【図８】他の変更例におけるカップホルダの収容部を示す斜視図。
【図９】（ａ）は他の変更例におけるカップホルダの収容部を示す斜視図、（ｂ）は同収容部における保持部を拡大して示す斜視図。
【図１０】図９におけるカップホルダの収容部に飲料容器が挿入された場合における仕切部材による支持態様を示す説明図。
【発明を実施するための形態】
【００１２】
以下、図１〜図６を参照して、車両用カップホルダ（以下、カップホルダ）の一実施形態について説明する。
図１及び図２に示すように、カップホルダは、平面視長方形状をなす上部開口３１を有し、自動車のセンタコンソールの一部を構成するハウジング３０と、ハウジング３０の上部開口３１に対して着脱可能に設けられたホルダ本体１０とを備えている。
【００１３】
ホルダ本体１０は、ハウジング３０の上部開口３１を覆うとともに円形状の２つの開口１２を有する長方形板状の板状部１１と、２つの開口１２の周縁から下方に向けてそれぞれ膨出された有底円筒状の２つの収容部１３とを備えている。２つの収容部１３は、同一の形状を有しており、板状部１１の長手方向に間隔をおいて設けられている。
【００１４】
図４及び図５に示すように、収容部１３は、円筒状の側壁１３ａと底壁１３ｂとを有している。
板状部１１及び収容部１３は、硬質の樹脂材料により一体成形されている。
【００１５】
図５に示すように、収容部１３の側壁１３ａにおける対向する複数箇所には、収容部１３の内外を連通する二対の連通孔（上側連通孔１４Ａ，下側連通孔１４Ｂ）がそれぞれ上下方向に互いに間隔をおいて設けられている。各上側連通孔１４Ａ及び各下側連通孔１４Ｂは、収容部１３の周方向に沿って延在しており、同一の形状を有している。各上側連通孔１４Ａにおける下側の内周面には、係止凸部１５Ａが突設されている。各下側連通孔１４Ｂにおける上側の内周面には、係止凸部１５Ｂが突設されている。各係止凸部１５Ａ及び各係止凸部１５Ｂは、収容部１３の周方向に沿って延在しており、同一の形状を有している。
【００１６】
図４及び図５に示すように、各連通孔１４Ａ，１４Ｂには、弾性部材からなる紐状の仕切部材２１，２２が連通されている。本実施形態の仕切部材２１，２２は共に輪ゴムである。
【００１７】
仕切部材２１（２２）は、上側連通孔１４Ａに連通され、係止凸部１５Ａの外周面により係止されている。また、仕切部材２１（２２）は、上側連通孔１４Ａに対向する下側連通孔１４Ｂに連通され、係止凸部１５Ｂの外周面により係止されている。
【００１８】
図３及び図５に示すように、仕切部材２１（２２）は、収容部１３内にて互いに間隔をおいて平行に延在する支持部２１ａ，２１ｂ（２２ａ，２２ｂ）を有するとともに、対向する係止凸部１５Ａ，１５Ｂによって引っ張られた状態で保持されている。仕切部材２１（２２）の支持部２１ａ，２１ｂ（２２ａ，２２ｂ）によって収容部１３内の空間が仕切られている。なお、係止凸部１５Ａ，１５Ｂが本発明に係る保持部に相当する。
【００１９】
図４及び図５に示すように、仕切部材２１，２２の支持部２１ａ，２２ａ，２１ｂ，２２ｂは、互いに交差した状態で保持されることとなる。
次に、異なる外径寸法の飲料容器が収容部１３に挿入された場合における仕切部材２１，２２による支持態様について説明する。
【００２０】
図６に太線にて示すように、飲料容器が挿入されていない状態においては、仕切部材２１（２２）の支持部２１ａ，２１ｂ（２２ａ，２２ｂ）は、同図の左右方向に沿って互いに平行に延在している。
【００２１】
図６に中太線にて示すように、外径寸法の小さい飲料容器Ａが互いに平行に延在する仕切部材２１（２２）の間の収容領域へ挿入されると、当該飲料容器Ａの外形寸法に応じて仕切部材２１（２２）の支持部２１ａ，２１ｂ（２２ａ，２２ｂ）が弾性変形する。
【００２２】
図６に細線にて示すように、外径寸法の大きい飲料容器Ｂが互いに平行に延在する仕切部材２１（２２）の間の収容領域へ挿入されると、当該飲料容器Ｂの外形寸法に応じて仕切部材２１（２２）の支持部２１ａ，２１ｂ（２２ａ，２２ｂ）が弾性変形する。
【００２３】
次に、本実施形態の作用効果を説明する。
（１）カップホルダのホルダ本体１０は、上部に開口１２を有し、飲料容器を収容可能な有底筒状の収容部１３を備えている。収容部１３の側壁１３ａにおける対向する複数箇所に設けられた係止凸部１５Ａ，１５Ｂと、弾性部材からなり、複数の係止凸部１５Ａ，１５Ｂにより引っ張られた状態で保持されて収容部１３内を仕切る紐状の仕切部材２１，２２とを備える。
【００２４】
仕切部材２１（２２）によって仕切られた収容領域に対して飲料容器を挿入すると、当該飲料容器の外形寸法に応じて仕切部材２１（２２）が弾性変形する。ここで、飲料容器の外周面に対して作用する仕切部材２１（２２）の弾性復元力によって、飲料容器が支持されることとなる。したがって、簡単な構成により、異なる外形寸法の飲料容器を支持することができる。
【００２５】
（２）仕切部材２１（２２）は、収容部１３内にて互いに間隔をおいて平行に延在する支持部２１ａ，２１ｂ（２２ａ，２２ｂ）を有している。
こうした構成によれば、互いに間隔をおいて平行に延在する仕切部材２１（２２）の支持部２１ａ，２１ｂ（２２ａ，２２ｂ）によって仕切られた収容領域に対して飲料容器を挿入することができる。ここで、互いに平行に延在する支持部２１ａ，２１ｂ（２２ａ，２２ｂ）間の間隔が一定であることから、収容された飲料容器を位置によらず安定して支持することができる。
【００２６】
（３）側壁１３ａには、収容部１３の内外を連通する一対の連通孔１４Ａ，１４Ｂが設けられている。一対の連通孔１４Ａ，１４Ｂの内周面には、仕切部材２１，２２が係止される係止凸部１５Ａ，１５Ｂが突設されている。
【００２７】
こうした構成によれば、仕切部材２１，２２が、側壁１３ａに設けられた複数の連通孔１４Ａ，１４Ｂの内周面にそれぞれ突設された複数の係止凸部１５Ａ，１５Ｂによって保持されている。このため、係止凸部１５Ａ，１５Ｂによって収容部１３の内部空間が制約を受けることはない。したがって、収容部１３の内部空間を有効に利用することができる。
【００２８】
（４）収容部１３の底面からの仕切部材２１（２２）が係止される一対の係止凸部１５Ａ，１５Ｂの高さが互いに異なっている。
こうした構成によれば、収容部１３に収容された飲料容器が、その高さ方向に亘って仕切部材２１（２２）の支持部２１ａ，２１ｂ（２２ａ，２２ｂ）により支持される。このため、飲料容器を安定して支持することができる。
【００２９】
（５）上側の係止凸部１５Ａは、上側連通孔１４Ａの下側の内周面に突設されており、下側の係止凸部１５Ｂは、下側連通孔１４Ｂの上側の内周面に突設されている。
係止凸部１５Ａ，１５Ｂによる仕切部材２１，２２の支持態様によっては、仕切部材２１，２２に作用する弾性復元力によって仕切部材２１，２２が係止凸部１５Ａ，１５Ｂから抜け出るおそれがある。
【００３０】
特に、一対の係止凸部１５Ａ，１５Ｂが収容部１３の底面からの高さが互いに異なるように設けられた場合、上側の係止凸部１５Ａ付近における仕切部材２１，２２に対しては、内周側且つ下側（図４に矢印Ａで示す方向）に向かって弾性復元力が作用する。また、下側の係止凸部１５Ｂ付近における仕切部材２１，２２に対しては、内周側且つ上側（図４に矢印Ｂで示す方向）に向かって弾性復元力が作用する。
【００３１】
この点、上記構成によれば、上側の係止凸部１５Ａが上側連通孔１４Ａの下側の内周面に突設される一方、下側の係止凸部１５Ｂが下側連通孔１４Ｂの上側の内周面に突設されている。このため、弾性復元力による仕切部材２１，２２の抜け出しを各連通孔１４Ａ，１４Ｂの内周面によって規制することができる。
【００３２】
（６）仕切部材２１，２２は輪ゴムである。このため、仕切部材２１，２２の構成を簡単にすることができる。
本実施形態は、以下のように変更して実施することができる。本実施形態及び以下の変更例は、技術的に矛盾しない範囲で互いに組み合わせて実施することができる。
【００３３】
・ホルダ本体１０の板状部１１を省略することもできる。この場合、収容部１３の側壁１３ａや底壁１３ｂに対して車両側へ取り付けられる取付部を設けるようにすればよい。
・図７に示すように、収容部１１３の側壁１１３ａの上端に略Ｌ字状をなす４つの切欠部１１４を周方向に間隔をおいて設け、各切欠部１１４に仕切部材２２を係止するようにしてもよい。この場合、各切欠部１１４が略Ｌ字状をなしていることにより、仕切部材２２の切欠部１１４からの抜け出しを規制することができる。
【００３４】
また、図８に示すように、収容部２１３の上端に４つのねじ穴（図示略）を周方向に間隔をおいて設け、各ねじ穴にねじ２４０の先端部を螺入し、各ねじ２４０の胴部２４１に対して仕切部材２２が係止される構成としてもよい。この場合、ねじ２４０の頭部２４２によって、仕切部材２２の抜け出しを規制することができる。
【００３５】
また、これらの場合、収容部１１３の上部や収容部２１３よりも上方に仕切部材２２を取り付けることができるため、仕切部材２２の取り付け作業が容易となる。
・図９及び図１０に示すように、収容部３１３の側壁３１３ａの対向する２箇所に略Ｌ字状に突出するフック３１５を設け、各フック３１５に仕切部材３２２を係止するようにしてもよい。図９（ａ）及び図９（ｂ）に示すように、フック３１５の先端部３１５ａは上方を指向している。仕切部材３２２は、線状をなしており、その両端には、フック３１５に係止される輪部３２２ａがそれぞれ設けられている。仕切部材３２２は、ゴムなどのエラストマによって形成されている。この場合、図１０に示すように、仕切部材３２２によって収容部３１３内が仕切られる。このため、収容部３１３の側壁３１３ａと仕切部材３２２とによって仕切られた収容領域に飲料容器Ｃを挿入すると、飲料容器Ｃの外周面に対して作用する仕切部材３２２の弾性復元力によって、飲料容器Ｃを簡単に支持することができる。
【符号の説明】
【００３６】
１０…ホルダ本体、１１…板状部、１２…開口、１３，１１３，２１３，３１３…収容部、１３ａ，１１３ａ，３１３ａ…側壁、１３ｂ…底壁、１４Ａ…上側連通孔、１４Ｂ…下側連通孔、１５Ａ，１５Ｂ…係止凸部（保持部）、２１，２２，３２２…仕切部材、２１ａ，２１ｂ，２２ａ，２２ｂ…支持部、３２２ａ…輪部、３０…ハウジング、３１…上部開口、１１４…切欠部、２４０…ねじ、２４１…胴部、２４２…頭部、３１５…フック、３１５ａ…先端部。
【図１】
2019188870.tif 000003
【図２】
2019188870.tif 000004
【図３】
2019188870.tif 000005
【図４】
2019188870.tif 000006
【図５】
2019188870.tif 000007
【図６】
2019188870.tif 000008
【図７】
2019188870.tif 000009
【図８】
2019188870.tif 000010
【図９】
2019188870.tif 000011
【図１０】
2019188870.tif 000012